(57)【特許請求の範囲】
【請求項１】
一端が開口する箱状に形成されたタンク本体(1) と、その開口を閉塞するチューブプレート(2) とからなる金属製タンクを有して、そのタンクに固定されたブラケット(3) において、
前記タンク本体(1) の開口縁部には、外側に拡開された拡開部(4) が設けられ、
前記チューブプレート(2) には、その外周縁がタンク本体(1) の開口縁から立ち上げられた周壁部を有し、
その周壁部の付根部にタンク本体(1) の前記拡開部(4) の端縁が接合されて、そのチューブプレート(2) の周壁部の端部側にタンク本体(1) の外面から分離した立ち上げ部(5) が形成され、
その立ち上げ部(5) に一以上の係合部(6) が形成され、
樹脂成形体よりなるブラケット(3) が、前記タンク本体(1) の幅方向外周に略整合する門型に形成され、その両脚部(7) の先端部に前記係合部(6) に整合する係止部(8) が夫々形成され、
そのブラケット(3) の内面がタンク本体(1) の外周に接触被嵌されて、その係止部(8) がチューブプレート(2) の前記係合部(6) に係止されて、抜け止め固定されたことを特徴とする熱交換器のブラケット取付構造。
【請求項２】
請求項１において、
前記チューブプレート(2) の立ち上げ部(5) に形成された複数の係合部(6) のうち、適宜位置のものが選択されて、そこに前記ブラケット(3) の係止部(8) が係止される熱交換器のブラケット取付構造。
【請求項３】
請求項１または請求項２において、
ブラケット(3) の両脚部(7) の先端部が前記タンク本体(1) の外面と前記立ち上げ部(5) との隙間に位置された熱交換器のブラケット取付構造。
【請求項４】
請求項１〜請求項３のいずれかにおいて、
チューブプレート(2) の前記立ち上げ部(5) に形成された前記係合部(6) が、その長手方向に並列された複数の係合孔(6a)からなり、
ブラケット(3) の両脚部(7) の先端部に設けられた前記係止部(8) が、外側に一体に突出するフック状に形成されたフック部(8a)からなり、そのフック部(8a)が前記係合孔(6a)に係止される熱交換器のブラケット取付構造。
【請求項５】
請求項１〜請求項３のいずれかにおいて、
チューブプレート(2) の前記立ち上げ部(5) に形成された前記係合部(6) が、その長手方向に並列された複数の略Ｔ字状の係合爪(6b)からなり、
ブラケット(3) の両脚部(7) の先端部に設けられた前記係止部(8) が、タンク本体(1) の長手方向に一体にフック状に突設形成されたフック部(8b)からなり、そのフック部(8b)が前記係合爪(6b)に係止される熱交換器のブラケット取付構造。
【請求項６】
請求項１〜請求項３のいずれかにおいて、
チューブプレート(2) の前記立ち上げ部(5) に形成された前記係合部(6) が、その長手方向に並列された複数の略Ｔ字状のカシメ用爪(6c)からなり、
ブラケット(3) の両脚部(7) の先端部に設けられた前記係止部(8) が、係止孔(8c)または係止用凹陥部よりなり、
隣り合う一対の前記カシメ用爪(6c)の前記長手方向に沿う突出部がカシメにより変形されて前記係止孔(8c)または係止用凹陥部に夫々係止された熱交換器のブラケット取付構造。
【請求項７】
請求項１〜請求項３のいずれかにおいて、
チューブプレート(2) の前記立ち上げ部(5) に形成された前記係合部(6) が、その長手方向に並列された複数のカシメ用爪(6d)からなり、
ブラケット(3) の両脚部(7) の先端部に設けられた前記係止部(8) が、係止孔(8d)または係止用凹陥部よりなり、前記カシメ用爪(6d)が立ち上げ部(5) の根元側にカシメにより変形されて前記係止孔(8d)または係止用凹陥部に係止された熱交換器のブラケット取付構造。
【発明の詳細な説明】
【０００１】
【発明の属する技術分野】
本発明は、金属製タンクを有する熱交換器の外面に突設されるマウントピンやパイプ等を取付るブラケットに関する。
【０００２】
【従来の技術】
一例として車両用熱交換器のタンク外面には、熱交換器をエンジンルームの支持材に取付けるためのマウントピンが突設されている。タンクが金属製の場合にはそれに適宜な係止孔を設け、そこに金属製のピンを圧入し、ついで両者間を一体にろう付け固定していた。
【０００３】
【発明が解決しようとする課題】
従来のタンク外面に突設するマウントピン等の取付構造は、その取付工数が多くなると共に、各種支持材の配置状況に応じて取付用の孔の位置を変化させる必要があり面倒であった。
そこで本発明は、製造および取付け容易でタンク外面に安定して取付けることができるブラケット取付構造を提供することを課題とする。
【０００４】
【課題を解決するための手段】
請求項１に記載の本発明は、一端が開口する箱状に形成されたタンク本体(1) と、その開口を閉塞するチューブプレート(2) とからなる金属製タンクを有して、そのタンクに固定されたブラケット(3) において、
前記タンク本体(1) の開口縁部には、外側に拡開された拡開部(4) が設けられ、
前記チューブプレート(2) には、その外周縁がタンク本体(1) の開口縁から立ち上げられた周壁部を有し、
その周壁部の付根部にタンク本体(1) の前記拡開部(4) の端縁が接合されて、そのチューブプレート(2) の周壁部の端部側にタンク本体(1) の外面から分離した立ち上げ部(5) が形成され、
その立ち上げ部(5) に一以上の係合部(6) が形成され、
樹脂成形体よりなるブラケット(3) が、前記タンク本体(1) の幅方向外周に略整合する門型に形成され、その両脚部(7) の先端部に前記係合部(6) に整合する係止部(8) が夫々形成され、
そのブラケット(3) の内面がタンク本体(1) の外周に接触被嵌されて、その係止部(8) がチューブプレート(2) の前記係合部(6) に係止されて、抜け止め固定されたことを特徴とする熱交換器のブラケット取付構造である。
【０００５】
請求項２に記載の本発明は、請求項１において、
前記チューブプレート(2) の立ち上げ部(5) に形成された複数の係合部(6) のうち、適宜位置のものが選択されて、そこに前記ブラケット(3) の係止部(8) が係止される熱交換器のブラケット取付構造である。
請求項３に記載の本発明は、請求項１または請求項２において、
ブラケット(3) の両脚部(7) の先端部が前記タンク本体(1) の外面と前記立ち上げ部(5) との隙間に位置された熱交換器のブラケット取付構造である。
【０００６】
請求項４に記載の本発明は、請求項１〜請求項３のいずれかにおいて、
チューブプレート(2) の前記立ち上げ部(5) に形成された前記係合部(6) が、その長手方向に並列された複数の係合孔(6a)からなり、
ブラケット(3) の両脚部(7) の先端部に設けられた前記係止部(8) が、外側に一体に突出するフック状に形成されたフック部(8a)からなり、そのフック部(8a)が前記係合孔(6a)に係止される熱交換器のブラケット取付構造である。
請求項５に記載の本発明は、請求項１〜請求項３のいずれかにおいて、
チューブプレート(2) の前記立ち上げ部(5) に形成された前記係合部(6) が、その長手方向に並列された複数の略Ｔ字状の係合爪(6b)からなり、
ブラケット(3) の両脚部(7) の先端部に設けられた前記係止部(8) が、タンク本体の長手方向に一体にフック状に突設形成されたフック部(8b)からなり、そのフック部(8b)が前記係合爪(6b)に係止される熱交換器のブラケット取付構造である。
【０００７】
請求項６に記載の本発明は、請求項１〜請求項３のいずれかにおいて、
チューブプレート(2) の前記立ち上げ部(5) に形成された前記係合部(6) が、その長手方向に並列された複数の略Ｔ字状のカシメ用爪(6c)からなり、
ブラケット(3) の両脚部(7) の先端部に設けられた前記係止部(8) が、係止孔(8c)または係止用凹陥部よりなり、
隣り合う一対の前記カシメ用爪(6c)の前記長手方向に沿う突出部がカシメにより変形されて前記係止孔(8c)または係止用凹陥部に夫々係止された熱交換器のブラケット取付構造である。
【０００８】
請求項７に記載の本発明は、請求項１〜請求項３のいずれかにおいて、
チューブプレート(2) の前記立ち上げ部(5) に形成された前記係合部(6) が、その長手方向に並列された複数のカシメ用爪(6d)からなり、
ブラケット(3) の両脚部(7) の先端部に設けられた前記係止部(8) が、係止孔(8d)または係止用凹陥部よりなり、前記カシメ用爪(6d)が立ち上げ部(5) の根元側にカシメにより変形されて前記係止孔(8d)または係止用凹陥部に係止された熱交換器のブラケット取付構造である。
【０００９】
【発明の実施の形態】
次に、図面に基づいて本発明の各実施の形態につき説明する。
図１は本発明の第１の実施の形態を示すブラケットの取付説明図であり、図２はその取付状態を示す正面図、図３は同縦断面図である。この例のブラケットは熱交換器支持用のマンウトピンを取付るためののである。
この熱交換器はエンジン冷却水冷却用のラジエータであって、上下に離間して一対のタンク（下部側を省略）が配置され、それらの間にチューブ10及びフィン11からなるコアが設けられたものである。なお本発明は上記ラジエータの代わりにカークーラ用のコンデンサやインタークーラにも適用できる。
タンクは夫々アルミニューム板等からなる金属製のタンク本体１とチューブプレート２とからなり、そのタンク本体１は一端側が開放された細長い箱状に形成され且つ、その開口縁部が外側に拡開された拡開部４を有する。
【００１０】
次に、チューブプレート２はタンク本体１の開口縁に整合し、全周に僅かに立ち上げられた周壁部を有し、その周壁部の付根部にタンク本体１の拡開部４の縁部が嵌着する。そして、そのチューブプレート２の周壁部の端部側にタンク本体１の外面側から離間した立ち上げ部５が形成される。即ち、立ち上げ部５とタンク本体１の外周面との間には一定の空間が形成される。その立ち上げ部５には、１以上の係合部６として多数の矩形の係合孔6aが定間隔に穿設されている。
【００１１】
なお、チューブプレート２には多数の偏平孔が穿設され、夫々の偏平孔にはチューブ10の先端部が挿入され、各チューブ10間にはフィン11が配置され、チューブプレート２にタンク本体１が嵌着される。そして互いに接触する少なくとも一方の部品の外表面にはろう材が被覆されたものが用いられ、全体が組立てられた状態で高温の炉内に挿入され、ろう材を溶融し次いでそれを冷却固化することによって、各部品間を一体的にろう付け固定するものである。そのようにして完成された熱交換器のタンク外周にブラケット３が嵌着固定されるものである。
【００１２】
次に、ブラケット３は合成樹脂の射出成形体により一体成形され、タンク本体１の幅方向外周に整合する門型に形成されると共に、その脚部７の先端部中央にスリット12が設けられ、そのスリット12の夫々の両側においてチューブプレート２の先端縁に係止部８としてフック部8aが外面側に突設されている。この係止部８は、チューブプレート２の係合孔6aに整合する。または、ブラケット３の上端中央にはマウントピン部９が一体に突設されている。このマウントピン部の代わりに後述する図１０に示すパイプ部14を一体に突出することもできる。
【００１３】
図１のように形成されたブラケット３は、タンク本体１の外周に接触して被嵌され、そのフック部8aが係合孔6aに係止されて抜け止め固定される。即ち、ブラケット３をタンク本体１の外周に圧入すると、フック部8aの先端が立ち上げ部５の先端縁に接触して、脚部７が内面側に変形し、次いでフック部8aが係合孔6aに嵌着することにより脚部７は元の状態に復帰し、図２及び図３の如くそのフック部8aが係合孔6aに係止される。そしてブラケット３はタンクに三次元的に位置決め固定される。即ち、水平方向にも垂直方向にも移動することなく、ブラケット３は図の状態に抜け止め固定される。
【００１４】
次に、図４は本発明の第２の実施の形態を示すブラケットの取付説明図であり、図５はその取付状態を示す正面図である。
この例が前記第１の例と異なる点は、ブラケット３の脚部７の下端両側近傍に一対のスリット12が形成され、その一対のスリット12間に凹壁部13が配置されている。そしてスリット12の外側であって、脚部７の下端の両側に係止部８としてフック部8bがタンク本体１の壁面方向に平行に突設されている。そしてチューブプレート２の係合部６として、多数の略Ｔ字状の係合爪6bが多数定間隔に並列されている。
【００１５】
このようにしてなる係止部８をタンク本体１の外周の適宜位置に被嵌すると、フック部8bが係合部６の先端に接触し、それがタンク本体１の壁面方向に変形し、次いで、そのフック部8bが係合部６の下端縁に嵌着する。このときブラケット３の内面は、タンク本体１の外周面に密着する。それと共に、凹壁部13は係合部６とタンク本体１の外周面との間に挿入される。
【００１６】
次に、図６は本発明の第３の実施の形態を示すブラケットの取付説明図であり、図７はその取付状態を示す斜視図である。
この例はブラケット３の脚部７の下端部に係止部８として矩形の係止孔8cが形成されている。さらにチューブプレート２の立ち上げ部５に多数の略Ｔ字状のカシメ用爪6cが並列されている。そしてブラケット３をタンク本体１の外周に被嵌すると共に、隣り合う一対のカシメ用爪6cをタンク本体１の外周側にカシメて、脚部７の係止孔8cに嵌入する。それにより、ブラケット３はタンクの外周に安定して固定される。
【００１７】
次に、図８は本発明の他の実施の形態を示すブラケットの取付説明図であり、図９はその取付状態を示す縦断面図である。
この例は、ブラケット３の両脚部７の下端部に夫々係止部８として矩形の係止孔8dが形成され、チューブプレート２の立ち上げ部５には多数の係合部６としてカシメ用爪6dが並列されている。そしてブラケット３をタンク本体１の外周に被嵌し、カシメ用爪6dをタンク本体１の外面側にカシメ変形することにより、図９の如くカシメ用爪6dを係止孔8d内に挿入し、係止部８をタンク外周に固定するものである。
【００１８】
このようにして固定されたブラケット３のマウントピン部９は、そこに図示しないマウントゴムを被嵌し、次いでそれを図示ない支持材の孔に挿通することにより、熱交換器をエンジンルームの支持材等に固定するものである。
次に、図10は図９におけるマウントピン部９の代わりに、ブラケットの脚部７に冷却水出入口用のパイプ部14が突設されたものである。そして、そのパイプ部14の根元部がタンク本体１の開口16に挿通され、その挿通部がＯリング15を介して液密に形成されたものである。
【００１９】
【発明の作用・効果】
請求項１に記載のブラケット取付構造は、樹脂成形体よりなるブラケット３をタンク本体１の外周に接触被嵌させ、その係止部８がチューブプレート２の係合部６に係止されて抜け止め固定されるものであるから、ブラケット３の取付けが極めて容易で且つ、それを安定して熱交換器のタンクに固定することが可能となる。
請求項２に記載の本発明は、立ち上げ部５に形成された複数の係合部６のうち適宜位置のものが選択されて、そこにブラケット３の係止部８が係止されるものであるから、ブラケット３の取付位置を必要に応じて変化することができ、汎用性の高いブラケット取付構造となり得る。
【００２０】
請求項３に記載の本発明は、ブラケット３の両脚部７の先端部がタンク本体１の外面と立ち上げ部５との隙間に位置されるものであるから、ブラケット３の安定性がさらによくなり、信頼性の高い取付構造となり得る。
請求項４に記載のブラケットの取付構造は、チューブプレート２の係合孔6aにブラケット３のフック部8aが係止されるものであるので、ブラケット３をタンクに安定よく固定することができる。
請求項５に記載の本発明は、チューブプレート２の略Ｔ字状の係合爪6bにブラケット３のフック部8bが係止されるものであり、両者の係合状態を安定的に保持できる。
【００２１】
請求項６に記載の本発明は、ブラケット３の係止孔8cまたは係止用凹陥部にチューブプレート２の略Ｔ字状のカシメ用爪6cがカシメにより変形されて係止されるものであるから、より安定的にブラケット３をタンクの外周に固定することができる。
請求項７に記載の本発明は、ブラケット３の係止孔8dにチューブプレート２のカシメ用爪6dがカシメにより変形されて係止されるものであるから、両者の係止状態を安定的に保持して、ブラケット３をタンクの外周に確実に固定することができる。
【図面の簡単な説明】
【図１】本発明の第１の実施の形態を示すブラケットの取付説明図。
【図２】同ブラケットの取付状態を示す正面図。
【図３】同ブラケットの取付状態を示す縦断面図。
【図４】本発明の第２の実施の形態を示すブラケットの取付説明図。
【図５】同ブラケットの取付状態を示す正面図。
【図６】本発明の第３の実施の形態を示すブラケットの取付説明図。
【図７】同ブラケットの取付状態を示す斜視図。
【図８】本発明の第４の実施の形態を示すブラケットの取付説明図。
【図９】同ブラケットの取付状態を示す縦断面図。
【図１０】本発明の他のブラケットの取付構造を示す縦断面図であって、図８，図９のブラケットにおけるマウントピン部の代わりにパイプ部14が形成されたもの。
【符号の説明】
１  タンク本体
２  チューブプレート
３  ブラケット
４  拡開部
５  立ち上げ部
６  係合部
6a  係合孔
6b  係合爪
6c  カシメ用爪
6d  カシメ用爪
７  脚部
８  係止部
8a  フック部
8b  フック部
8c  係止孔
8d  係止孔
９  マウントピン部
10  チューブ
11  フィン
12  スリット
13  凹壁部
14  パイプ部
15  Ｏリング
16  開口
【図１】
0004447149.tif 000002
【図２】
0004447149.tif 000003
【図３】
0004447149.tif 000004
【図４】
0004447149.tif 000005
【図５】
0004447149.tif 000006
【図６】
0004447149.tif 000007
【図７】
0004447149.tif 000008
【図８】
0004447149.tif 000009
【図９】
0004447149.tif 000010
【図１０】
0004447149.tif 000011